(57)【特許請求の範囲】
【請求項１】
回転して草などの刈り払いを行うコードと、該コードを収納しかつ間欠回動しながら該コードを繰り出すリールと、該リールを収納するケースを覆うカバーと、前記ケースから下方に突出し押圧することにより軸方向に移動可能でありかつ前記リールを間欠回動させる押圧体とからなる刈払機用のロータリカッタにおいて、付勢手段により一定位置に保持されたラチェットはロータリカッタの高速回転により生ずる遠心力によって前記付勢手段に抗して拡開し、前記押圧体と係合して該押圧体の軸方向の移動を阻止するよう構成したことを特徴とする刈払機用のロータリカッタ。
【請求項２】
前記付勢手段は前記押圧体を外方に付勢するリタンばねからなることを特徴とする請求項１記載の刈払機用のロータリカッタ。
【請求項３】
別体として構成された前記リールと押圧体とを着脱可能に取付けられた前記ケースとカバー内に収納し、前記押圧体の軸方向の移動によって前記リールが間欠回動し、かつ前記ケースとカバーとを取り外すと該ケースとリールが押圧体から分離することを特徴とする請求項１または２記載の刈払機用のロータリカッタ。
【請求項４】
前記カバーの中心部に刈払機本体に固定されるシャフトを設け、前記押圧体が該シャフトに保持される掛合い手段を有することを特徴とする請求項３記載の刈払機用のロータリカッタ。
【発明の詳細な説明】
【０００１】
【発明の属する技術分野】
本発明は原動機などによりシャフトを介して回転駆動されるケースの半径方向に延出されたコードにより草などの刈り払い作業を行うための刈払機用のロータリカッタに関するものである。
【０００２】
【従来の技術】
従来、この種の技術としてはリールにコードを収納する方式のもので、コードの自由端側が摩耗した時に、これを繰り出す方法としてエンジンを停止させ、カッタ部を一部分解したり、ねじを緩めるか、または特開昭５７−５６０８号公報に示すようにカッタの取付軸の先端にリールを軸方向に移動させるための押圧体を設けて、これを回転中に押し込むことによりリールとハウジングの位相がずれてコードが繰り出されるように構成されているものであった。
【０００３】
【発明が解決しようとする課題】
しかしながら、上記した構成の従来のロータリカッタでは、前者はコードを繰り出すための操作が極めて繁雑であり、また後者は回転中に押圧体を叩きつけて押込むために、コードの自由端側が下がりコードによって小石などを飛散させて危険であり、さらにロータリカッタの分解時に各部品がそれぞれ分離して再組付けの際に、極めて面倒な手順や細心の注意が必要となるなどの問題があった。
本発明の目的は、前記した従来の技術の問題点を解決し、コードの自由端側が摩耗の際のコードの繰り出し操作をロータリカッタの低速回転時でのみ実施できるので小石などの飛散も防止でき、またロータリカッタの分解時に各部品がバラバラにならず、したがって再組付けが容易な刈払機用のロータリカッタを提供することである。
【０００４】
【課題を解決するための手段】
上記目的を達成するため本発明は、回転して草などの刈り払いを行うコードと、該コードを収納しかつ間欠回動しながら該コードを繰り出すリールと、該リールを収納するケースを覆うカバーと、前記ケースから下方に突出し押圧することにより軸方向に移動可能でありかつ前記リールを間欠回動させる押圧体とからなる刈払機用のロータリカッタにおいて、付勢手段により一定位置に保持されたラチェットはロータリカッタの高速回転により生ずる遠心力によって前記付勢手段に抗して拡開し、前記押圧体と係合して該押圧体の軸方向の移動を阻止するよう構成した刈払機用のロータリカッタを特徴とするものであり、前記付勢手段は前記押圧体を外方に付勢するリタンばねからなり、また別体として構成された前記リールと押圧体とを着脱可能に取付けられた前記ケースとカバー内に収納し、前記押圧体の軸方向の移動によって前記リールが間欠回動し、かつ前記ケースとカバーとを取り外すと該ケースとリールが押圧体から分離するものである。
そして本発明では前記カバーの中心部に刈払機本体に固定されるシャフトを設け、前記押圧体が該シャフトに保持される掛合い手段を有することを特徴とするものである。
【０００５】
【発明の実施の形態】
つぎに本発明を添付図面に基いて説明する。
図１は本発明の一実施例に係る刈払機用のロータリカッタの低速回転時の状態を示す図で、右側が押圧体を押圧していない状態を示し、左側が押圧している状態を示す断面図、図２はロータリカッタが高速回転中の状態を示す断面図、図３はリールの繰り出しの状態を示す説明図、図４は本発明の一実施例に係る刈払機用のロータリカッタの分解断面図、図５はロータリカッタの平面図であって、Ａはハウジング、１はリール、２はケース、３はカバー、４は押圧体、５はラチェット、６はリタンばね、７はコードである。
【０００６】
本発明では、外周部にナイロンなどで形成されたコード７を収納しかつ該コードの中央部（１本のコードを使用する場合）あるいは一端部（２本のコードを使用する場合）を固定する手段（図示せず）を有する凹溝１−１を、また中央に設けられた貫孔１−２の内周面に内方へ突出し等間隔をおいて設けられた複数個の突起１−３を有するリール１が有底円筒状からなるケース２内に回動可能に収納されている。このケース２には外周面の相対する方向にコード７が導出する出口２−１が設けられており、また底部２−２の中央部には円孔２−３が穿設されている。
【０００７】
そしてケース２の開放端縁部には外方に向いてフック２−５が設けられており、このフック２−５が前記ケース２の開放端部全面に亘って覆って取付けられるカバー３の外周縁部において下方に延長する顎部３−１と係止可能に構成されている。すなわちフック２−５に顎部３−１を係止することによりケース２にカバー３が着脱可能に取付けられ、該ケース２とカバー３によりハウジングＡが構成されている。
またカバー３の中央部には下方に伸びるシャフト３−２が固着され、該シャフト３−２には刈払機本体の軸部（図示せず）に螺着されるねじ部３−３が設けられいる。
【０００８】
一方ケース２とカバー３により形成されるハウジングＡの内部には、リール１の貫孔１−２内に嵌入して前記ケース２の円孔２−３より底部が突出するようにリタンばね６により付勢された有底円筒体からなる押圧体４が収納されており、該押圧体４の外周面には前記リール１の内周面に設けられた突起１−３に対応して同じく等間隔をおいて外方へ突出する複数個の突起４−１が設けられている。また押圧体４の底部４−２からは軸方向に複数個のアーム状の弾性リブ４−３が突出して該リブ４−３の自由端に設けられた爪部４−４が前記カバー３のシャフト３−２の下端部に設けられた環状の突出部３−４に掛合いされている。
【０００９】
そして前記リタンばね６は一端が押圧体４の底部４−２に当接して押圧体４を下方に付勢し、一方他端はカバー３に支軸５−１を介して回転可能に枢着されたほぼＬ字状のラチェット５の短辺部５−２に当接するよう張設されている。したがってＬ字状のラチェット５は、ケース２とカバー３とからなるハウジングＡに高速回転による遠心力がかからない限りはその長辺部５−３がカバー３のシャフト３−２と平行になるよう位置せしめられるものであり（図１参照）、一方前記ハウジングＡが高速回転すると、リタンばね６に抗して前記長辺部５−３に遠心力が働いて該長辺部５−３の自由端５−４が径方向で外方に拡開するので押圧体４の開放端部の内周面に設けられた環状の段部４−５と係合するように構成されているものである（図２参照）。
【００１０】
さらに図３に示すようにカバー３の内側とケース２の内側にはそれぞれ、押圧体４の突起４−１とリール１の突起１−３と円周方向では位相をずらされているが、軸方向には位相を合わせて軸方向に突出する突出部３−６と２−４を等間隔をおいて複数個突設されている。すなわち前記突出部３−６と突出部２−４は、少なくとも押圧体４の突起４−１またはリール１の突起１−３の周方向の幅よりも大きな間隔をおいて配設されている。
【００１１】
このような構成を有する本発明についてその動作を以下に説明する。
まず刈払機が非作動状態もしくは低回転状態では図１に示すようにリタンばね６によって押圧体４は下方に付勢されるとともに、カバー３の環状の突出部３−４と爪部４−４が掛合いした状態となり、それ以上押圧体４が下方に移動することを阻止するストップ手段として働いている。この際にはリタンばね６の付勢力はラチェット５の短辺部５−２に働き該ラチェットの長辺部５−３をカバー３のシャフト３−２と平行する方向に保持することになる。
つぎに刈払機が高速回転を始めると、その回転によりシャフト３−２を介してカバー３全体を回転させて、顎部３−１とフック２−５との係止によってケース２もカバー３とともに回転し、ケース２の突出部２−４を介してこの回転が相互に当接する突起４−１、１−３に伝わり、ハウジングＡと一体的にリール１が回転することになる。このリール１の回転により凹溝１−１に固定され出口２−１より延出しているコード７が回転してその自由端部によって芝や雑草などを刈り取ることができる。
【００１２】
このようにケース２とカバー３とからなるハウジングＡが高速回転している時は、ラチェット５の長辺部５−３に遠心力が働いてリタンばね６に抗して長辺部５−３の自由端５−４が径方向で外方に拡開して押圧体４の段部４−５と係合して図２の状態となるために押圧体４を地面に叩きつけても該押圧体４は上昇することができない。
一方使用していたコード７の自由端側が刈り取りなどにより摩耗してリール１より繰り出す必要がある場合には、ラチェット５の長辺部５−３に遠心力が働かず該長辺部がカバー３のシャフト３−２と平行状態を保持されかつハウジングＡが低回転している時（図３の（イ）位置）に、図１の左側に示すように押圧体４を地面に叩きつけると、該押圧体４はリタンばね６に抗して上方に移動する。
【００１３】
この際に押圧体４の上昇に伴い突起４−１も上昇するが、低速回転しているコード７に働く遠心力により該突起４−１と当接しているリール１の突起１−３により押圧体４の突起４−１がケース２の突出部２−４を乗り越えてカバー３の突出部３−６と当接し（図３の（ロ）位置）、ついでリタンばね６の復帰力により押圧体４が下降するとともに、押圧体４の突起４−１はリール１の突起１−３によりさらに移動してつぎのケース２の突出部２−４と当接することになる（図３の（ハ）位置）。すなわち、リール１はケース２の突出部２−４の間の距離だけ間欠回動したことになる。
このようにハウジングＡが低速回転している時に、押圧体４を地面に叩きつけるたび毎に突起２−４間の周長に対応した長さだけコード７がリール１より繰り出され、作業員が所望の数だけ押圧体４を地面に叩きつければ所望の長さのコード７が繰り出されることになるのである。
【００１４】
つぎに本発明に係る刈払機のロータリカッタのコード７が摩耗して交換しなければならない場合や内部の部品を交換、保守するために分解する必要がある場合などには、まずカバー３の顎部３−１とケース２のフック２−５との係止を外せばケース２を下方に向けて取り外すことができる。ついでリール１を押圧体４より取り外してコード７を取り替えればよい。この際、リタンばね６やほぼＬ字状のラチェット５を内装している押圧体４はこの押圧体４のアーム状の弾性リブ４−３の先端部の爪部４−４とカバー３のシャフト３−２の環状の突出部３−４との掛合いによって分離することがなく、したがって再組付けが極めて容易となる。なお押圧体４の内部にあるリタンばね６やほぼＬ字状のラチェット５を交換する時には、前記爪部４−４と環状の突出部３−４との掛合いを解除するために、押圧体４を強く下方に強く引っ張ればアーム状の弾性リブ４−３が撓んで該押圧体４をシャフト３−２より取り外すことが可能である。
さらに押圧体４をシャフト３−２に再組付けしたい場合には、ラチェット５やリタンばね６を内装した後、押圧体４をシャフト３−２の軸方向に下方より押込めば、前記とは逆にアーム状の弾性リブ４−３が撓み爪部４−４が環状の突出部３−４により拡開し、ついで該突出部３−４を乗り越えた後弾性リブ４−３の弾性により原状態に復帰して掛合い状態とすることができる。
【００１５】
【発明の効果】
以上述べた通り本発明によれば、コードの自由端側の摩耗の際のコードの繰り出し操作をロータリカッタの低回転時でのみ実施できるので小石などの飛散も防止でき、またロータリカッタの分解時に各部品がバラバラにならず、したがって再組付けが容易な刈払機用のロータリカッタを提供することが可能となる。
【図面の簡単な説明】
【図１】本発明の一実施例に係る刈払機用のロータリカッタの低速回転時の状態を示す図で、右側が押圧体を押圧していない状態を示し、左側が押圧している状態を示す断面図である。
【図２】本発明の一実施例に係る刈払機用のロータリカッタが高速回転中の状態を示す断面図である。
【図３】本発明の一実施例に係る刈払機用のロータリカッタのリールの繰り出しの状態を示す説明図である。
【図４】本発明の一実施例に係る刈払機用のロータリカッタの分解断面図である。
【図５】本発明の一実施例に係る刈払機用のロータリカッタの平面図である。
【符号の説明】
Ａ  ハウジング
１  リール
１−１  凹溝
１−２  貫孔
１−３、４−１  突起
２  ケース
２−１  出口
２−２、４−２  底部
２−３  円孔
２−４、３−４、３−６  突出部
２−５  フック
３  カバー
３−１  顎部
３−２  シャフト
３−３  ねじ部
４  押圧体
４−３  弾性リブ
４−４  爪部
４−５  段部
５  ラチェット
５−１  支軸
５−２  短辺部
５−３  長辺部
５−４  自由端
６  リタンばね
７  コード
【図１】
0003982930.tif 000002
【図２】
0003982930.tif 000003
【図３】
0003982930.tif 000004
【図４】
0003982930.tif 000005
【図５】
0003982930.tif 000006